(57)【要約】【課題】  複数の種類の運動が可能なペット用運道具を提供すること。【解決手段】  この発明のペット用運道具は、ポール支持体１，２、ポール３、および長板４を備え、両ポール支持体１，２間にポール３を掛け渡すことができるようにしており、また、前記長板４にポール３を取り付け、両ポール支持体１，２間に支持させてシーソーにすることができるようにしたものとしている。さらに、ポール３に取り付け可能な幕１６を備えているものとすることができる。  また、前記長板４は、複数枚の短板４ａ，４ｂ，４ｃを連結してなるものとすることができる。【選択図】  図１
2005269949.tif 000002
【特許請求の範囲】
【請求項１】
ポール支持体（１）（２）、ポール（３）、および長板（４）を備え、両ポール支持体（１）（２）間にポール（３）を掛け渡すことができるようにしており、また、前記長板（４）にポール（３）を取り付け、両ポール支持体（１）（２）間に支持させてシーソーにすることができるようにしていることを特徴とするペット用運道具。
【請求項２】
さらに、ポール（３）に取り付け可能な幕（１６）を備えている請求項１記載のペット用運道具。
【請求項３】
長板（４）が、複数枚の短板（４ａ）（４ｂ）（４ｃ）を連結してなるものとしている請求項１または２記載のペット用運道具。
【発明の詳細な説明】
【技術分野】
【０００１】
この発明は、犬、猫等のペットに運動をさせるためのペット用運道具に関するものである。
【背景技術】
【０００２】
従来、ペット用運道具には、例えば、ペットが打ったりひっかいたりするのに適した大きさ、材質、重さを有する対象物をつなぎロープの一端に取り付けた、つり下げ型の運動具（特許文献１参照）等、各種のものがあった。
【０００３】
しかし、従来のペット用運道具は、単一の種類の運動をさせることしかできず、複数の種類の運動をさせることが可能なものはなかったため、ペットが飽きて運動をしなくなったり、あるいは飼い主が運動させなくなったりすることが多かった。
【特許文献１】特表平１１−５０２２２６号公報
【発明の開示】
【発明が解決しようとする課題】
【０００４】
そこで、この発明は、複数の種類の運動が可能なペット用運道具を提供することを課題とする。
【課題を解決するための手段】
【０００５】
この発明のペット用運道具は、ポール支持体１，２、ポール３、および長板４を備え、両ポール支持体１，２間にポール３を掛け渡すことができるようにしており、また、前記長板４にポール３を取り付け、両ポール支持体１，２間に支持させてシーソーにすることができるようにしたものとしている。
【０００６】
さらに、ポール３に取り付け可能な幕１６を備えているものとすることができる。
【０００７】
また、前記長板４は、複数枚の短板４ａ，４ｂ，４ｃを連結してなるものとすることができる。
【発明の効果】
【０００８】
この発明のペット用運道具は、上述のような構成を有しており、ポール支持体１，２にポール３を掛け渡すことによりジャンプ用器具にしたり、長板４にポール３を取り付け、ポール支持体１，２に回転可能に支持させることによりシーソーにしたりして、ペットに複数の種類の運動をさせることが可能となっている。
【０００９】
さらに、ポール３に取り付け可能な幕１６を備えているものとすれば、ジャンプ用器具として使用する場合、幕１６によりポール３の下方が遮られるので、ペットはポール３の下方を通り抜けようとはせず、ジャンプしてポール３の上方を飛び越えるようになる。
【００１０】
また、長板４が、複数枚の短板４ａ，４ｂ，４ｃを連結してなるものとすれば、不使用時には長板４を分解してコンパクトにすることができる。
【発明を実施するための最良の形態】
【００１１】
以下、この発明の好適な実施形態を、図面を参照して説明する。
【００１２】
図１はこの発明の実施形態のペット用運道具の組み立て前の状態の斜視図、図２はジャンプ用器具として使用する場合の斜視図、図３は幕付きのジャンプ用器具として使用する場合の斜視図、図４はシーソーとして使用する場合の斜視図である。
【００１３】
この発明のペット用運道具は、図１に示したように、ポール支持体１，２、ポール３、および長板４を備え、両ポール支持体１，２間にポール３を掛け渡すことができるようにしており、また、前記長板４にポール３を取り付け、両ポール支持体１，２間に支持させてシーソーにすることができるようにしたものとしている。
【００１４】
ポール支持体１，２は、左右一対のもので、合成樹脂製、木製等とすることができ、底部５に支柱６を取り付けてなるものとしている。底部５は半球状で、頂部に設けた孔に支柱６の下端部を差し込んで取り付けるようにしている。
【００１５】
底部５は、図５、図６に示したように、接地面に接する部分の周囲におもりとなるゴム製等の輪状体７を取り付けることにより、ポール支持体１，２の転倒を防止することができる。
【００１６】
図５に示したものは、底部５の接地面に接する部分の周囲８を外方に突出させ、これに輪状体７を嵌合させている。この輪状体７の内側には、前記底部５の突出した周囲８が入り込む凹部９が形成されており、また、図示しないが輪状体７の内側縁部分に、３０度程度ごとに半径方向の切り込みが形成されており、輪状体７が底部５に着脱自在となっている。
【００１７】
図６に示したものは、輪状体７の内側縁部分の下端部１０を切欠して前記底部５の突出した周囲８が嵌るようにしているとともに、輪状体７の外側縁部分の上部に使用者の指が入る凹み１１を設け、輪状体７の着脱を容易にしている。
【００１８】
支柱６は、合成樹脂製、木製等とすることができ、複数のポール載置部１２とポール挿通孔１３とをそれぞれ適宜間隔で設けたものとしている。支柱６は高さ数十ｃｍ程度で、ポール載置部１２は支柱６の片側の側部から水平方向に突出するように設けられ、上縁にポール３を載せる窪みを有しており、ポール挿通孔１３はポール３より若干径の大きい円形の孔としている。
【００１９】
支柱６は、図７に示したように、その内側面にポール載置部１２を内方に突出するように設けたものとすることもできる。この図７に示した支柱６は、外側面を曲面状にし、内側面に縦方向のリブを形成して強度を高めているとともに、ポール載置部１２の上面を円弧状に凹んだ形状としており、その略中央部分でポール３を安定的に支持し、かつ、ペットが前後のいずれの方向から進んで来てポール３に引っかかっても、ポール３がポール載置部１２から脱落することにより、安全に使用することができるようになっている。なお、ポール載置部１２は図示した形状以外にも、Ｖ字状や、平板状で中央に窪みを設けた形状等、略中央部分でポール３を安定支持させられ、ペットがポール３に引っかかったときにポール３が脱落するようになっていればよい。
【００２０】
ポール３は、長さ数十ｃｍ程度の丸棒で、合成樹脂製、木製等とすることができる。ポール３は剛性のある曲がりにくいものとすることが望ましい。
【００２１】
長板４は、合成樹脂製、木製等とすることができる。長板４は３枚の短板４ａ，４ｂ，４ｃを連結具１４によって連結してなるものとしており、不使用時には長板４を分解してコンパクトにすることができる。各短板４ａ，４ｂ，４ｃは、幅をポール３の長さより短くした四角形状で、合成樹脂製、木製等とすることができる。
【００２２】
短板４ａ，４ｂ，４ｃのうちの１枚４ｂには、長さ方向の中央部に、幅方向と平行にポール３を保持するポール保持部１５が設けられている。この実施形態では、ポール保持部１５は前記短板４ｂを貫通する孔としているが、これに限定されず、ポール３を保持可能な構成であればよい。
【００２３】
このポール保持部１５を有する短板４ｂの前後両側に、他の短板４ａ，４ｃがそれぞれ連結具１４によって連結され、長尺な長板４が構成される（図４参照）。連結具１４は、断面略コ字状で隣接する短板４ａと４ｂ、４ｂと４ｃの側部にまたがって取り付けられるようにしている。
【００２４】
なお、長板４は１枚の長尺な板で構成されるものとすることができ、また、２枚あるいは４枚等適宜の枚数の短板から構成されるものとすることもできる。
【００２５】
さらに、このペット用運道具は、ジャンプ用器具として使用する場合にポール３の下方に垂れ下がる幕１６を備えたものとしている。幕１６は合成繊維等適宜の繊維からなり、四角形状で、上端の辺にポール３を通すための環状の通し部１７を設けており、下端の辺にも環状の通し部１８を設け、これに幕１６を広がった状態に保持するための棒１９を通したものとしている。
【００２６】
このペット用運道具をジャンプ用器具として使用する場合は、図２に示したように、一対のポール支持体１，２を左右に適宜間隔をおいて配置し、両ポール支持体１，２の同じ高さの適宜のポール載置部１２に掛け渡す。ポール３はジャンプ用器具のバーとなり、ペットにこのポール３を飛び越えさせる。ペットがポール３に引っかかった場合は、ポール３はポール載置部１２からはずれる。
【００２７】
また、このペット用運道具をジャンプ用器具として使用する場合において、前記幕１６を使用するときは、図３に示したように、ポール３を幕１６の通し部１７に通したものを、両ポール支持体１，２の同じ高さの適宜のポール載置部１２に掛け渡す。この場合、幕１６により、ポール３の下方が遮られるので、ペットはポール３の下方を通り抜けようとはせず、ジャンプしてポール３の上方を飛び越えるようになる。
【００２８】
このペット用運道具をシーソーとして使用する場合は、図４に示したように、前記長板４の中央のポール保持部１５にポール３を通し、ポール保持部１５から露出したポール３の両端で、ポール３を両ポール支持体１，２の同じ高さの適宜のポール挿通孔１３に入れて支持させる。
【００２９】
このように構成すると、ポール３がシーソーの軸として機能し、長板４の一端が接地した状態で、当該一端側からペットが長板４上を駆け上り、長板４の中央を越えると、長板４の傾きが変わって他端側が接地し、ペットが当該他端側に向かって駆け下りることができるようになる。
【００３０】
なお、ジャンプ用器具として使用する場合、ポール３をポール挿通孔１３に支持させてもよく、また、シーソーとして使用する場合、ポール３をポール載置部１２に支持させてもよい。
【産業上の利用可能性】
【００３１】
犬や猫等のペットに運動をさせるための運動具として利用することが可能である。
【図面の簡単な説明】
【００３２】
【図１】この発明の実施形態のペット用運道具の組み立て前の状態の斜視図である。
【図２】この発明の実施形態のペット用運道具の、ジャンプ用器具として使用する場合の斜視図である。
【図３】この発明の実施形態のペット用運道具の、幕付きのジャンプ用器具として使用する場合の斜視図である。
【図４】この発明の実施形態のペット用運道具の、シーソーとして使用する場合の斜視図である。
【図５】この発明の他の実施形態のペット用運道具の底部の縦断面図である。
【図６】この発明の他の実施形態のペット用運道具の底部の縦断面図である。
【図７】この発明の他の実施形態のペット用運道具の支柱の一部の斜視図である。
【符号の説明】
【００３３】
１，２  ポール支持体
３  ポール
４  長板
４ａ，４ｂ，４ｃ  短板
１６  幕
【図１】
2005269949.tif 000003
【図２】
2005269949.tif 000004
【図３】
2005269949.tif 000005
【図４】
2005269949.tif 000006
【図５】
2005269949.tif 000007
【図６】
2005269949.tif 000008
【図７】
2005269949.tif 000009